(57)【要約】  【課題】鍵前後方向の位置決めが正確であり鍵先端の整列が確実に得られる電子鍵盤楽器の鍵ガイド構造を提供する。  【解決手段】鍵３０が、演奏者に近い側を前側としたときに、押鍵操作を受ける鍵本体３０ａと、該鍵本体の後部に設けられたヒンジ部３０ｂとを備え、鍵盤フレーム１０には、鍵本体３０ａに接することにより動作時の鍵本体の前後方向の位置を保つガイド部１４が設けられており、ヒンジ部３０ｂは、鍵本体３０ａから曲折して上下方向に延び端部を鍵盤フレームに固定された保持片３６を備えており、該保持片は、鍵本体３０ａをガイド部１４に押しつけるように前後方向に弾性的に付勢している。【選択図】図１
2007163526.tif 000002
【特許請求の範囲】
【請求項１】
鍵と該鍵を支持する鍵盤フレームとを備えた鍵盤装置であって、前記鍵は、演奏者に近い側を前側としたときに、押鍵操作を受ける鍵本体と、該鍵本体の後部に設けられたヒンジ部とを備え、前記鍵盤フレームには、前記鍵本体に接することにより動作時の鍵本体の前後方向の位置を保つガイド部が設けられており、前記ヒンジ部は、前記鍵本体から曲折して上下方向に延び端部を鍵盤フレームに固定された保持片を備えており、該保持片は、前記鍵本体を前記ガイド部に押しつけるように前後方向に弾性的に付勢していることを特徴とする電子鍵盤楽器の鍵ガイド構造。
【請求項２】
前記保持片は、前記鍵本体を前方へ弾性的に付勢することにより該鍵本体を前記ガイド部に押しつけており、前記鍵盤フレームには、過剰な鍵操作力が後方へ加えられたときに該鍵の後方への移動を規制する保護ストッパが設けられていることを特徴とする請求項１に記載の鍵ガイド構造。
【発明の詳細な説明】
【技術分野】
【０００１】
本発明は、電子鍵盤楽器の鍵をガイドする鍵ガイド構造に関する。
【０００２】
本明細書及び特許請求の範囲においては、電子鍵盤楽器において、演奏者に近い方を前、遠い方を後と称することとする。
【背景技術】
【０００３】
一般的な電子鍵盤楽器の鍵ガイド構造においては、鍵は、押鍵操作を受ける鍵本体と、鍵本体の後端部に設けられたヒンジ部とを備え、ヒンジ部は、鍵本体の後端部に設けられ、該後端部を中心に鍵本体を上方へ付勢する弾性部材を備える。そして、鍵を支持する鍵盤フレームには、前記弾性部材を固定する取付け部と、鍵本体の一部に当接し、上方へ付勢された鍵本体の非押鍵時の位置決めを行なう上ストッパと、押鍵ストロークにおける下降位置で鍵に当接する下ストッパとが設けられている。（例えば、特許文献１参照）。
【０００４】
このような鍵ガイド構造においては、鍵本体の一部を鍵並び方向に挟むことにより、鍵の鍵並び方向の位置決めと振れ止めをするガイド部材が設けられていた。
【特許文献１】実開平３−１００８９４
【発明の開示】
【発明が解決しようとする課題】
【０００５】
上記鍵ガイド構造においては、鍵の前後方向の位置決めは、鍵本体と弾性部材とが結合された形状が、どの鍵においても一定であることを前提にして、単に弾性部材を鍵盤フレームの取付け部に固定することにより行なわれていた。
【０００６】
しかしながら、実際には、鍵本体と弾性部材とが結合された形状は、製造条件や材質の変動、成形時に生じる内部応力等により、必ずしも一定ではない。その結果、整列すべき鍵の先端は前後方向に不揃いになり、好ましくない外観を呈することとなる。また、一般的に、鍵の主要部はプラスチックによる一体成形であり、鍵盤フレームにおける鍵取付け部の形状は固定的であるので、一旦前後方向の不揃いが生じると、それを修正することはほとんど不可能であった。
【０００７】
したがって、本発明は、このような従来技術の問題を解決し、鍵前後方向の位置決めが正確であり鍵先端の整列が確実に得られる電子鍵盤楽器の鍵ガイド構造を提供することを目的とする。
【課題を解決するための手段】
【０００８】
本発明は、前記目的を達成するため、鍵と該鍵を支持する鍵盤フレームとを備えた鍵盤装置であって、前記鍵は、演奏者に近い側を前側としたときに、押鍵操作を受ける鍵本体と、該鍵本体の後部に設けられたヒンジ部とを備え、前記鍵盤フレームには、前記鍵本体に接することにより動作時の鍵本体の前後方向の位置を保つガイド部が設けられており、前記ヒンジ部は、前記鍵本体から曲折して上下方向に延び端部を鍵盤フレームに固定された保持片を備えており、該保持片は、前記鍵本体を前記ガイド部に押しつけるように前後方向に弾性的に付勢していることを特徴とする電子鍵盤楽器の鍵ガイド構造を提供するものである。
【発明の効果】
【０００９】
本発明によれば、上記構成に基づき、鍵前後方向の位置決めが正確であり鍵先端の整列が確実に得られる電子鍵盤楽器の鍵ガイド構造を提供することができる。
【００１０】
［作用］
本発明に係る電子鍵盤楽器の鍵ガイド構造によれば、鍵は、押鍵操作を受ける鍵本体と、該鍵本体の後部に設けられたヒンジ部とを備えている。したがって、押鍵操作がされると、ヒンジ部を中心に回動動作を行なう。
【００１１】
さらに、この鍵ガイド構造において、鍵盤フレームには、鍵本体に接することにより動作時の鍵本体の前後方向の位置を保つガイド部が設けられている。このガイド部は、鍵盤フレーム中の適宜の位置において一体的に又は別個に設けることができるので、鍵盤フレームの製造の際にガイド部の位置を正確に得ることは、型成形、部品組立等のいずれの製造方法においても容易である。
【００１２】
そして、ヒンジ部は、鍵本体から曲折して上下方向に延び端部を鍵盤フレームに固定された保持片を備え、該保持片は、鍵本体をガイド部に押しつけるように前後方向に弾性的に付勢している。したがって、ガイド部への押しつけにより鍵本体の前後方向の位置が正確に決まる。しかも、弾性的な付勢力により、鍵本体とガイド部との接触が維持されるので、鍵操作中の僅かな打鍵力で鍵が前後方向にふらついて演奏性を悪化させるのを防止することができる。その結果、電子鍵盤楽器として組み立てられたときに、鍵操作の円滑さを損ねることなく鍵先端の整列が確実に得られるのである。特に、鍵本体のヒンジ部は、前記付勢のための弾性を有する結果、鍵本体の位置決め機能を有していないので、前記ガイド部による鍵本体の位置決めと操作時のガイドは極めて有効に作用する。
【００１３】
前記鍵ガイド構造において、前記保持片による付勢力は、前方へ作用するようにし、前記鍵盤フレームには、鍵に対する過剰な鍵操作力が後方へ加えられたときに該鍵の後方への移動を規制する保護ストッパが設けられるのが望ましい。保持片による付勢力を前方へ作用させることにより、鍵本体はガイド部を前方へ押すことになる。一般に押鍵力は、主に下方に作用するが、後方への押圧成分も含むことが多い。上記のように、ガイド部を前方へ押す構造とすると、押鍵力が後方成分を持って作用したときに、鍵を後方へ移動させようとする。したがって、その押鍵力は、鍵本体をガイド部から離す方向に作用し、押鍵時の摩擦抵抗が低減され、円滑な操作を得るのが特に容易となっている。
【００１４】
また、付勢力が前方へ作用する構造においては、該付勢力を上回る後方への力が作用すると、鍵が後方へ移動することになる。この移動量が大きいと、保持片の塑性変形や破壊を生じるおそれがある。これに対して、鍵の後方への移動を規制する保護ストッパを鍵盤フレームに設ければ、保持片の塑性変形や破壊の発生を防止することができる。
【発明を実施するための最良の形態】
【００１５】
以下、本発明の一実施形態について添付図面を参照しつつ説明する。図中の同一又は同種の部分については、同じ番号を付して説明を省略することがある。
【００１６】
図１は、本発明に係る電子鍵盤楽器用鍵盤装置の一例を示す縦断面図である。この鍵盤装置は、鍵盤フレーム１０に鍵３０を支持したものであり、鍵３０には白鍵３０Ｗと黒鍵３０Ｂとがある。白鍵３０Ｗと黒鍵３０Ｂの構造は、押鍵される部分の形状が異なり、他の構造は実質的に同じである。したがって、ここでは白鍵について説明するが、同様のことが黒鍵にも当てはまる。なお、説明上、白鍵と黒鍵とを区別する必要がない場合は、鍵と記載する。
【００１７】
白鍵３０Ｗは、図示のように、上壁３１，両側の側壁３２，前壁３３及び後壁３４を有し下方が開放された箱状の鍵本体３０ａと、該鍵本体の後部に設けられたヒンジ部３０ｂとを備えている。側壁３２の前部には、当接片３２０が結合されている。当接片３２０は、側壁３２から下方に延びる垂下部３２１と、該垂下部の下端から水平に後方（演奏者から遠ざかる方向）へ延びる水平部３２２とを備えている。鍵本体３０ａの後端部は、箱状部から平板状に延びた偏平部３５とされ、ヒンジ部３０ｂへと連続する。
【００１８】
鍵盤フレーム１０には、鍵３０の押鍵ストロークにおける下降位置で垂下部の下面に当接する下ストッパ１１と、鍵３０の上昇位置で水平部３２２の上面に当接する上ストッパ１２とが設けられている。これらのストッパ１１，１２は、鍵盤フレーム１０の本体にフェルトを貼着して形成されている。鍵３０と鍵盤フレーム１０との間には、ばねが設けられ（図示略）、そのばね力により、非押鍵時には鍵３０が上昇位置に保たれ、押鍵時には押鍵抵抗が与えられる。ばね及びその取付け構造は、通常の電子鍵盤楽器用鍵盤装置に用いられるものを採用することができるので、詳細な説明は省略する。
【００１９】
図２に示すように、ヒンジ部３０ｂは、鍵本体３０ａの偏平部３５から曲折して下方に延び端部を鍵盤フレームに固定された平板状の保持片３６を備えている。鍵盤フレーム１０の後端部には、保持片３６の下端部を挟持して支持する保持部１３が設けられている。保持部１３は、保持片３６の前側に位置する前保持部１３ａと、保持片３６の後側に位置する後保持部１３ｂとを備えている。
【００２０】
この実施形態においては、複数の保持片３６の下部が、連結片３６１〜３６３によって連結されている。すなわち、図２における手前側の鍵の偏平部３５ａは保持片３６ａに結合し、保持片３６ａの下部は、隣の２つの保持片を越した奥側の保持片３６ｄの下部と共通の連結片３６１により連結されている。また、保持片３６ｂは、保持片３６ｄの奥側にある図外の保持片と下部どうしを連結片３６２によって連結され、保持片３６ｃも同様である。この実施形態では、前後方向に３枚の連結片３６１〜３６３が前保持部１３ａと後保持部１３ｂとによって挟まれて鍵盤フレーム１０に保持されている。各連結片は、２乃至５個の保持片３６を連結する。
【００２１】
このように、複数の保持片に跨る連結片を設けるのは、鍵の並列間隔を正確にし且つ保持部１３による保持を確実にするためである。また、連結する保持片の間に他のいくつかの保持片を置くのは、隣り合う保持片を連結すると、隣り合う鍵本体の間隙が小さいため、成形型における該当部分が薄くなり、損傷を受けやすくなるからである。したがって、一般的には、これらの要求を満たす種々の組み合わせによって保持片３６を連結部で繋ぐことができる。なお、保持片３６は、下部を連結片で繋ぐことなく、個々に保持部で保持することも可能である。
【００２２】
鍵本体３０ａの前部には、上壁３１から下方へ延びた被ガイド部３７が設けられている。被ガイド部３７は、鍵本体３０ａと一体的に成形することにより、容易に正確な位置に設けることができる。或いは、鍵本体３０ａと別部材として取り付けることもでき、この場合も、鍵本体３０ａ上のマーキングに基づき、又は治具を使用して、容易に正確な位置に取り付けることができる。
【００２３】
そして、鍵盤フレーム１０には、この被ガイド部３７の前側の面に接して鍵本体の押離鍵方向への動作を案内するガイド部１４が設けられている。ガイド部１４は、鍵３０両側の側壁３２の内面間の距離より僅かに小さい幅を有し、鍵盤フレーム１０の本体から鍵本体３０ａ内へ延びており、鍵の上下動の際に、鍵幅方向（鍵並び方向）の位置を保つ。ガイド部１４は、鍵盤フレーム１０のプレス成形又は型成形時に、その一部として一体的に設けることにより、容易に正確な位置に設けることができる。或いは、鍵盤フレーム１０と別部材として取り付けることもでき、この場合も、鍵盤フレーム１０上のマーキングに基づき、又は治具を使用して、容易に正確な位置に取り付けることができる。
【００２４】
保持片３６は、鍵３０が図１のように鍵盤フレーム１０に組み込まれた状態で、被ガイド部３７をガイド部１４に押しつけるように鍵本体を前方に弾性的に付勢している。したがって、押離鍵による鍵３０の上下動の際に、被ガイド部３７は、ガイド部１４の後ろ側の面に対し、押しつけられた状態で摺動する。この付勢状態を得るためには、例えば、鍵３０は、鍵本体３０ａの偏平部３５とヒンジ部３０ｂの保持片３６とが一体となるように成形し、相互になす角度が、図に示されている角度（ほぼ９０度）よりやや大きくなるように製造される。その角度は、偏平部３５と保持片３６との材質、寸法、形状等に応じて、ガイド部１４と被ガイド部３７との接触が維持され且つ鍵操作を妨げないように決められる。或いは、偏平部３５と保持片３６とに作用するばね（例えば、Ｌ字形ばね、捩りばね等）を装着し、そのばね力により付勢してもよい。
【００２５】
これらの構成に基づき、本実施形態に係る鍵ガイド構造においては、鍵盤フレームにおけるガイド部及び鍵における被ガイド部の各々の位置にしたがって、鍵の前後方向の位置決めが正確に得られる。その結果、電子鍵盤楽器として組み立てられたときに、鍵先端の整列が確実に得られるのである。
【００２６】
特に、この実施形態においては、保持片３６は、鍵本体３０ａを前方へ弾性的に付勢することによりガイド部１４に押しつけるようにしている。したがって、押鍵力が後方成分を持って作用すると、鍵本体をガイド部から離す方向に作用し、押鍵時の摩擦抵抗が低減され、円滑な操作を得るのが特に容易となっている。
【００２７】
さらに、この実施形態においては、鍵盤フレーム１０の後端部に保護ストッパ３８が設けられている。保護ストッパは、各鍵の後方に設けられ、図１には、黒鍵３０Ｂに作用するものが示されている。この保護ストッパ３８は、鍵盤フレーム１０の後端部から上方へ延び、保持片３６から僅かに距離を置いて位置している。この距離は、過剰な鍵操作力等の外力により鍵が後方へ移動したときに、該鍵に接するように決められる。これにより、弾性により前後方向への移動が可能な保持片３６が、外力により大きく移動して塑性変形や破壊を生じるのが防止される。
【００２８】
本発明は、上記実施形態に限定されることなく、種々の変形態様を含むものである。図３は、ガイド部材及び被ガイド部の変形例を示している。図３（ａ），（ｂ）は共に、鍵を下から見た斜視図であり、ガイド部１４を鍵本体の底面と同じ面で切断した状態を示している。図３（ａ）では、被ガイド部３７が下方から見てＶ字形をなすように屈曲している。このＶ字形は鍵前方へ開いており、開いた側にガイド部１４が接している。ガイド部１４は、横断面円形をなし、鍵盤フレームから上方へ延びて鍵本体３０ａ内に進入している。鍵本体３０ａには、矢印Ｆで示すように、保持片３６により前方への付勢力が作用している。このように、被ガイド部３７をＶ字形にし、ガイド部１４を該ガイド部の屈曲した２つの面に接触させることにより、簡単な構造で、鍵本体３０ａを前後方向及び幅方向の双方にガイドすることができる。
【００２９】
図３（ｂ）では、下方から見て、被ガイド部３７は２つの側壁３２間においてこれらの壁面に対し垂直に直線状に延び、ガイド部１４はＴ字状となっている。ガイド部１４は、Ｔ字形状において直線状に並ぶ２つの端部１４ａ，１４ｂが鍵本体３０ａの側壁３２の内面にほぼ接し、残る１つの端部１４ｃが被ガイド部３７に接するように配置されている。このガイド部１４も、鍵盤フレームから上方へ延びて鍵本体３０ａ内に進入している。この例では、鍵本体３０ａは、ガイド部１４における側壁３２にほぼ接する２つの端部１４ａ，１４ｂにより幅方向にガイドされ、残る端部１４ｃにより前後方向にガイドされる。
【００３０】
図４は、保持片１４’に対して鍵本体３０ａを図１の実施形態のものと逆向きに付勢する例を示している。すなわち、鍵本体３０ａの偏平部３５の後ろ側には、図１の実施形態と同様に、ヒンジ部３０ｂ’が設けられている。この例では、その保持片３６’は、被ガイド部３７’の後ろ側の面をガイド部１４’に押しつけるように鍵本体を後方に弾性的に付勢している。したがって、押離鍵による鍵３０の上下動の際に、被ガイド部３７は、ガイド部１４の前側の面に対し、押しつけられた状態で摺動する。この付勢状態を得る手段の基本構造については、図１の実施形態についての説明を適用できるが、偏平部３５と保持片３６’とを一体成形する場合は、相互の角度が、図に示されている角度（ほぼ９０度）よりやや小さくなるように製造され、偏平部３５と保持片３６とに作用するばね（例えば、Ｌ字形ばね、捩りばね等）を装着する場合も、そのばね力により後方への付勢が得られるように装着される。
【００３１】
図４の例では、押鍵等による外力が前方へ作用した場合に対する保護ストッパ３８’が設けられている。保護ストッパ３８’は、各鍵について、被ガイド部３７’の前方に該ガイド部から距離をおいて位置しており、鍵盤フレーム１０の前部から上方へ延びている。この距離は、過剰な外力により鍵が前方へ移動したときに、該鍵に接するように決められ、保持片３６’の塑性変形や破壊を防止する。但し、鍵３０の前方への移動防止を他の手段（例えば、楽器本体の口棒１５への当接等）で行なうことができる場合は、保護ストッパ３８’を省略することもできる。
【００３２】
また、鍵本体３０ａを後方へ付勢する構造の場合にも、図３（ａ），（ｂ）に示したのと同様の形態を採用することができる。但し、この例の場合は、被ガイド部３７のＶ字形の開き方向、並びに、被ガイド部３７とガイド部１４との位置関係が、前後逆になる。
【００３３】
以上の例では、ガイド部は、動作時の鍵本体の位置を鍵並び方向及び前後方向において保つというように、両方向のガイド機能を兼ね備えたものであったが、各々のガイド機能毎に別個の部材として設けてもよい。
【００３４】
また、図１の実施形態では、ガイド部１４が接する部材として鍵本体３０ａの空所内に設けられた被ガイド部３７を示したが、鍵本体３０ａの前壁３３を被ガイド部として使用することもできる。この場合、保持片は鍵本体を後方へ付勢するものとされる。
【図面の簡単な説明】
【００３５】
【図１】本発明に係る電子鍵盤楽器用鍵ガイド構造の一実施形態を示す縦断面図である。
【図２】図１に示した鍵ガイド構造におけるヒンジ部及びその近傍を拡大して示す斜視図である。
【図３】本発明に係る他の実施形態を示すものであり、鍵本体及びガイド部を下方から見た斜視図である。
【図４】本発明に係る電子鍵盤楽器用鍵ガイド構造のさらに他の実施形態を示す縦断面図である。
【符号の説明】
【００３６】
１０  鍵盤フレーム、  １４  ガイド部、  ３０  鍵、  ３０Ｂ  黒鍵、  ３０Ｗ  白鍵、  ３０ａ  鍵本体、  ３０ｂ  ヒンジ部、  ３６  保持片、  ３８  保護ストッパ
【図１】
2007163526.tif 000003
【図２】
2007163526.tif 000004
【図３】
2007163526.tif 000005
【図４】
2007163526.tif 000006